(57)【要約】      （修正有）【課題】部品点数を少なくできると共に杭と共に埋めてしまう埋殺し部品を可及的に少なくすることができる高圧ホース連結・連結解除装置を提供する。【解決手段】高圧ホース連結・連結解除装置１０は固定カプラー１２と移動カプラー１４から構成されている。固定カプラー１２の内周面には連結爪係止部１８が形成されている。固定カプラーパイプ体１６には第１高圧ノズル２４、第２高圧ノズル２８が設けられている。固定カプラー１２には固定カプラー取付プレートが固定されている。移動カプラー１４の高圧ホース連結部３４には高圧ホース２が連結されている。移動カプラー１４内には第１連結爪４４と第２連結爪４６が回動可能に取り付けられている。移動カプラー１４の第１ピストン収容孔５０には第１ピストン５４が、第２ピストン収容孔５２には第２ピストン５６がそれぞれ進退可能に収容されている。【選択図】図１
0003164275.tif 000002
【実用新案登録請求の範囲】
【請求項１】
杭の先端部に固定される固定カプラーと、高圧ホースが接続されると共に前記固定カプラーに着脱可能に連結される移動カプラーとから成る高圧ホース連結・連結解除装置であって、前記固定カプラーの内部に形成された連結爪係止部と、前記固定カプラーに設けられた高圧ノズルと、前記固定カプラーに固定されると共に前記杭に取り付けられる固定カプラー取付プレートと、前記移動カプラーに内設されると共に回動可能に取り付けられた第１連結爪及び第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記移動カプラーに内設されると共に前記第１連結爪の第１爪部と前記第２連結爪の第２爪部を離間方向に付勢する連結爪付勢バネと、前記移動カプラーに形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴とする高圧ホース連結・連結解除装置。
【請求項２】
杭の先端部に固定される固定カプラーと、高圧ホースが接続されると共に前記固定カプラーに着脱可能に連結される移動カプラーとから成る高圧ホース連結・連結解除装置であって、前記固定カプラーの内周面に形成された連結爪係止部と、前記固定カプラーに設けられた高圧ノズルと、前記固定カプラーに固定されると共に前記杭に取り付けられる固定カプラー取付プレートと、前記移動カプラーの基端部に形成されると共に高圧ホースが連結される高圧ホース連結部と、前記移動カプラーの中間部に内設された第１連結爪枢支ピン及び第２連結爪枢支ピンと、この第１連結爪枢支ピンに回動可能に取り付けられた第１連結爪と、前記第２連結爪枢支ピンに回動可能に取り付けられた第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記第１連結爪枢支ピンと第２連結爪枢支ピンに取り付けられると共に前記第１連結爪の第１爪部と前記第２連結爪の第２爪部を離間方向に付勢する連結爪付勢バネと、前記移動カプラーの中間部に形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴とする高圧ホース連結・連結解除装置。
【請求項３】
杭の先端部に固定される固定カプラーと、高圧ホースが接続されると共に前記固定カプラーに着脱可能に連結される移動カプラーとから成る高圧ホース連結・連結解除装置であって、前記固定カプラーの固定カプラーパイプ体の内周面に内周方向に沿って形成された連結爪係止部と、前記固定カプラーの分岐パイプの第１分岐パイプ体に設けられた第１高圧ノズルと、前記分岐パイプの第２分岐パイプ体に設けられた第２高圧ノズルと、前記固定カプラーに固定されると共に前記杭に取り付けられる固定カプラー取付プレートと、前記移動カプラーの基端部に形成されると共に高圧ホースが連結される高圧ホース連結部と、前記移動カプラーの中間部に内設された第１連結爪枢支ピン及び第２連結爪枢支ピンと、この第１連結爪枢支ピンに回動可能に取り付けられた第１連結爪と、前記第２連結爪枢支ピンに回動可能に取り付けられた第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記第１連結爪枢支ピンと第２連結爪枢支ピンに取り付けられると共に前記第１連結爪の第１爪部と前記第２連結爪の第２爪部を離間方向に付勢する連結爪付勢バネと、前記移動カプラーの中間部に形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴とする高圧ホース連結・連結解除装置。
【考案の詳細な説明】
【技術分野】
【０００１】
本考案は、地盤等に打設される鋼矢板杭等の杭に配設される高圧ホースを容易に連結したり連結を解除したりすることができる高圧ホース連結・連結解除装置に関する。
【背景技術】
【０００２】
ビル等の建設工事の建築，土木の基礎工事現場においては、鋼矢板杭、鋼管杭、Ｈ鋼杭又はコンクリートポール杭等の杭を地盤深く打設するために、打撃、振動、圧入原理を応用した杭打機が使用されている。
この場合、一般にウォータージェット噴流掘削工法が補助工法として併用される場合が多い。このウォータージェット噴流掘削工法は、打設される杭の先端部に鉄パイプ配管が溶接で固定されている。この鉄パイプ配管には杭の外周に沿うように複数のパイプが延設され、パイプの先端部に設けられている高圧ノズルから噴射される水圧により掘削を補助している。このため、前記鉄パイプ配管に水を送る高圧ホースも前記杭の外周面に固着され前記鉄パイプ配管にニップルを介して連結されている。
しかし、高圧ホースはニップルで鉄パイプ配管と連結されているため杭の打設作業が完了しても前記高圧ホースを回収することができず、杭と共に埋め殺ししてしまうため、高圧ホースの再利用が図れないと共に打設作業の費用が高くなるという不具合がある。
そこで、出願人は高圧ホースの再利用を図ると共に打設作業の費用を抑えることができる高圧ホース連結解除装置を提案した（特許文献１）。
しかし、この高圧ホース連結解除装置は部品点数が多く、また、杭の先端部に溶接した鉄パイプ配管だけでなくベースプレートも杭と一緒に埋め殺ししてしまうという不具合がある。
【先行技術文献】
【特許文献】
【０００３】
【特許文献１】特開平１０−６０８９２号公報
【考案の概要】
【考案が解決しようとする課題】
【０００４】
本考案は、上記事実に鑑みなされたものであり、装置の部品点数を少なくできると共に杭と共に埋めてしまう埋殺し部品を可及的に少なくすることができる高圧ホース連結・連結解除装置を提供するものである。
【課題を解決するための手段】
【０００５】
請求項１の考案は、杭の先端部に固定される固定カプラーと、高圧ホースが接続されると共に前記固定カプラーに着脱可能に連結される移動カプラーとから成る高圧ホース連結・連結解除装置であって、前記固定カプラーの内部に形成された連結爪係止部と、前記固定カプラーに設けられた高圧ノズルと、前記固定カプラーに固定されると共に前記杭に取り付けられる固定カプラー取付プレートと、前記移動カプラーに内設されると共に回動可能に取り付けられた第１連結爪及び第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記移動カプラーに内設されると共に前記第１連結爪の第１爪部と前記第２連結爪の第２爪部を離間方向に付勢する連結爪付勢バネと、前記移動カプラーに形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴としている。
請求項２の考案は、杭の先端部に固定される固定カプラーと、高圧ホースが接続されると共に前記固定カプラーに着脱可能に連結される移動カプラーとから成る高圧ホース連結・連結解除装置であって、前記固定カプラーの内周面に形成された連結爪係止部と、前記固定カプラーに設けられた高圧ノズルと、前記固定カプラーに固定されると共に前記杭に取り付けられる固定カプラー取付プレートと、前記移動カプラーの基端部に形成されると共に高圧ホースが連結される高圧ホース連結部と、前記移動カプラーの中間部に内設された第１連結爪枢支ピン及び第２連結爪枢支ピンと、この第１連結爪枢支ピンに回動可能に取り付けられた第１連結爪と、前記第２連結爪枢支ピンに回動可能に取り付けられた第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記第１連結爪枢支ピンと第２連結爪枢支ピンに取り付けられると共に前記第１連結爪の第１爪部と前記第２連結爪の第２爪部を離間方向に付勢する連結爪付勢バネと、前記移動カプラーの中間部に形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴としている。
請求項３の考案は、杭の先端部に固定される固定カプラーと、高圧ホースが接続されると共に前記固定カプラーに着脱可能に連結される移動カプラーとから成る高圧ホース連結・連結解除装置であって、前記固定カプラーの固定カプラーパイプ体の内周面に内周方向に沿って形成された連結爪係止部と、前記固定カプラーの分岐パイプの第１分岐パイプ体に設けられた第１高圧ノズルと、前記分岐パイプの第２分岐パイプ体に設けられた第２高圧ノズルと、前記固定カプラーに固定されると共に前記杭に取り付けられる固定カプラー取付プレートと、前記移動カプラーの基端部に形成されると共に高圧ホースが連結される高圧ホース連結部と、前記移動カプラーの中間部に内設された第１連結爪枢支ピン及び第２連結爪枢支ピンと、この第１連結爪枢支ピンに回動可能に取り付けられた第１連結爪と、前記第２連結爪枢支ピンに回動可能に取り付けられた第２連結爪と、前記第１連結爪の基端部に形成された第１ピストン当接部と、前記第１連結爪の先端部に形成された第１爪部と、前記第２連結爪の基端部に形成された第２ピストン当接部と、前記第２連結爪の先端部に形成された第２爪部と、前記第１連結爪枢支ピンと第２連結爪枢支ピンに取り付けられると共に前記第１連結爪の第１爪部と前記第２連結爪の第２爪部を離間方向に付勢する連結爪付勢バネと、前記移動カプラーの中間部に形成された第１ピストン収容部及び第２ピストン収容部と、この第１ピストン収容部に進退可能に収容された第１ピストンと、前記第２ピストン収容部に進退可能に収容された第２ピストンと、前記第１ピストン収容部及び第２ピストン収容部に連通されたピストン用パイプと、このピストン用パイプに連通されたピストン用ホースと、を有してなることを特徴としている。
【考案の効果】
【０００６】
本考案は、杭を埋設した場合に埋め殺しになるのは固定カプラーだけであるので埋め殺しする部材を最小限に抑えることができるので、部材の無駄を少なくできると共に杭の打設作業を経済的に行うことができるという優れた効果を有する。
本考案は部品点数が少ないので経済的であるという優れた効果を有する。
本考案は固定カプラーと移動カプラーを連結する第１連結爪と第２連結爪は固定カプラー及び移動カプラーの内側に配設されるので、杭を地盤等に打設する場合に摩擦抵抗を少なくでき杭の打設作業をより円滑かつ効果的に行うことができるという優れた効果を有する。
【図面の簡単な説明】
【０００７】
【図１】実施例の高圧ホース連結・連結解除装置の分離状態を示す概略縦断面図である。
【図２】実施例の高圧ホース連結・連結解除装置の連結状態を示す概略縦断面図である。
【図３】実施例の高圧ホース連結・連結解除装置を杭に固定した状態を示す正面図である。
【考案を実施するための形態】
【０００８】
考案を実施するために最良の形態の例として以下のような実施例を示す。
【実施例１】
【０００９】
図１乃至図３には本発明に係る高圧ホース連結・連結解除装置の一実施例が示されている。
図３に示されるように、この高圧ホース連結・連結解除装置１０は地盤等に打ち込まれる杭としての鋼矢板杭１の先端部１Ａの外側面に固定される固定カプラー１２と、高圧ホース２の先端部に固定されると共に前記固定カプラー１２に着脱可能に連結される移動カプラー１４とから構成されている。
図１に示されるように、前記固定カプラー１２の固定カプラーパイプ体１６の内周面には内周方向に沿うリング状の連結爪係止部１８が形成されている。この連結爪係止部１８には傾斜面１８Ａと係止面１８Ｂが設けられている。
前記固定カプラーパイプ体１６の先端部には分岐パイプ２０が設けられている。この分岐パイプ２０の第１分岐パイプ体２２の先端部には第１高圧ノズル２４が固定されている。また、前記分岐パイプ２０の第２分岐パイプ体２６の先端部には第２高圧ノズル２８が固定されている。
図３に示されるように、前記固定カプラー１２には逆Ｔ字状の固定カプラー取付プレート３０が溶接等の適宜固定手段によって固定されている。この固定カプラー取付プレート３０には固定ボルト３２が設けられている。この固定ボルト３２を利用することにより固定カプラー１２を鋼矢板杭１の先端部に固定できるようになっている。
図１に示されるように、前記移動カプラー１４の基端部には高圧ホース連結部３４が形成され前記高圧ホース２が連結されている。移動カプラー１４の中間部３６は前記高圧ホース連結部３４より大径に形成されている。また、移動カプラー１４の先端部には挿入部３８が連続して形成されている。この挿入部３８は前記中間部３６よりも小径に形成されている。
前記移動カプラー１４の中間部３８の内部には第１連結爪枢支ピン４０と第２連結爪枢支ピン４２が設けられている。この第１連結爪枢支ピン４０には第１連結爪４４が回動可能に取り付けられ、第２連結爪枢支ピン４２には第２連結爪４６が回動可能に取り付けられている。
前記第１連結爪４４の基端部には第１ピストン当接部４４Ａが形成され、先端部には第１爪部４４Ｂが形成されている。
また、前記第２連結爪４６の基端部には第２ピストン当接部４６Ａが形成され、先端部には第２爪部４６Ｂが形成されている。
前記第１連結爪枢支ピン４０と第２連結爪枢支ピン４２には連結爪付勢バネ４８の中間部が巻き付けられて取り付けられている。この連結爪付勢バネ４８の一端部４８Ａは前記第１連結爪４４に当接し、連結爪付勢バネ４８の他端部４８Ｂは前記第２連結爪４６に当接している。これにより、第１連結爪４４及び第２連結爪４６は連結爪付勢バネ４８によって離間方向（図１矢印Ａ方向）に常時付勢されている。なお、前記第１連結爪４４と第２連結爪４６は移動カプラー１４の挿入部３８によってそれ以上の図１矢印Ａ方向の回動を制限されている。
前記移動カプラー１４の中間部３６の一端面３６Ａには上下方向に向かって第１ピストン収容部５０と第２ピストン収容部５２が貫通形成されている。
この第１ピストン収容部５０には第１ピストン５４が進退可能に収容され、第２ピストン収容部５２には第２ピストン５６が進退可能に収容されている。また、前記第１ピストン収容部５０と第２ピストン収容部５２にはピストン抜止体５８がそれぞれ配設されおり、第１ピストン５４と第２ピストン５６が抜け出ないようになっている。これらピストン抜止体５８には貫通孔５８Ａが形成されている。
なお、第１ピストン５２と第２ピストン５４は共にピストン用付勢バネ（図示せず）により後退方向（図１、図２上方向）に付勢されている。
図１に示されるように、前記移動カプラー１４の中間部３６にはピストン用パイプ６２が配設され、ピストン用パイプ６２の一端部６２Ａと他端部６２Ｂは前記ピストン抜止体５８の貫通孔５８Ａに対応するように接続されている。
前記ピストン用パイプ６２にはピストン用ホースとしての油圧ホース６４が接続されている。
【００１０】
次に、実施例の高圧ホース連結・連結解除装置１０の作用について鋼矢板杭１を地盤に打設する前に、鋼矢板杭１の先端部１Ａにボルト孔を貫通させておく。
鋼矢板杭１を吊り上げて杭打機で鋼矢板杭１を保持する。
高圧ホース２の先端部に固定された移動カプラー１４を固定カプラー１２に接近させて移動カプラー１４の第１連結爪４４の第１爪部４４Ｂ、第２連結爪４６の第２爪部４６Ｂ、挿入部３８を固定カプラー本体１６に挿入する。
前記第１爪部４４Ｂと第２爪部４６Ｂは連結爪付勢バネ４８の付勢力に抗して固定カプラー１２の連結爪係止部１８の傾斜面１８Ａに案内されて第１爪部４４Ｂと第２爪部４６Ｂは接近方向（図１矢印Ｂ方向）に回動し、傾斜面１８Ａを通過すると前記第１爪部４４Ｂと第２爪部４６Ｂは連結爪付勢バネ４８の付勢によって互いに離間方向（図１矢印Ａ方向）に回動することにより、図２に示されるように前記第１爪部４４Ｂと第２爪部４６Ｂは係止面１８Ｂと係止する。
固定カプラー１２に移動カプラー１４を連結したら鋼矢板杭１の先端部１Ａに固定カプラー１２を配設すると共に鋼矢板杭１のボルト孔に固定カプラー取付プレート体３０のボルト３２を螺入してナットで前記固定カプラー１２を鋼矢板杭１の先端部１Ａに固定する。
これにより、前記移動カプラー１４及び固定カプラー１２は鋼矢板杭１の先端部１Ａに固定される。
そして、前記杭打機で鋼矢板杭１を地盤に打ち込むが、これと同時に高圧ホース２に高圧の水を流すことにより、水は移動カプラー１４、固定カプラー１２を通過して第１高圧ノズル２４、第２高圧ノズル２８から高圧で噴射されるので地盤を掘削する補助を行うことができる。
前記鋼矢板杭１を予定の深さだけ地盤に打設して鋼矢板杭１の打設作業が終了して、地盤に埋まった前記固定カプラ１２から前記移動カプラ１４を取り外す場合は、油圧ホース６４に油を流す。
前記油圧ホース６４から流れてきた油はピストン用パイプ６２を通過して第１ピストン５４、第２ピストン５６をピストン用付勢バネの付勢力に抗して進出させる。
これにより、第１ピストン５４は前記第１連結爪４４の第１ピストン当接部４４Ａに当接することにより、第１連結爪４４は連結爪付勢バネ４８の付勢力に抗して図１矢印Ｂ方向に回動し、第２ピストン５６は前記第２連結爪４６の第２ピストン当接部４６Ａに当接することにより第２連結爪４６は連結爪付勢バネ４８の付勢力に抗して図１矢印Ｂ方向に回動する。
この結果、前記第１連結爪４４の第１爪部４４Ｂ及び第２連結爪４６の第２爪部４６Ｂと前記連結爪係止部１８の係止面１８Ｂとの係止は解除されるため、高圧ホース２を引き上げれば高圧ホース２と共に移動カプラー１４を引き上げることができる。
従って、鋼矢板杭１に固定ボルト３２を介して固定されている固定カプラー１２、固定カプラー取付プレート３０、固定ボルト３２は埋め殺しになるが、移動カプラー１４は回収することができるので、埋め殺しする部材を少なくして鋼矢板杭１の打設作業費用を低く押えることができる。
また、高圧ホース連結・連結解除装置１０は固定カプラー１２と移動カプラー１４を連結する第１連結爪４４と第２連結爪４６は固定カプラー１２及び移動カプラー１４の内側に配設されている。従って、前記固定カプラー１２と移動カプラー１４の外側に第１連結爪４４と第２連結爪４６は露出しないので、鋼矢板杭１を地盤に打設する場合に従来の高圧ホース連結解除装置に比べて摩擦抵抗を少なくでき、鋼矢板杭１の打設作業をより円滑かつ効果的に行うことができる。
さらに、高圧ホース連結・連結解除装置１０は前記第１連結爪４４と第２連結爪４６を固定カプラー１２及び移動カプラー１４の内側に配設したので鋼矢板杭１の打設作業中に第１連結爪４４と第２連結爪４６が地盤から受ける影響を抑えることにより固定カプラー１２と移動カプラー１４の連結をより強固にすることがきる。
【００１１】
なお、この実施例では杭として鋼矢板杭１を示したが、杭は鋼管杭、Ｈ鋼杭、コンクリートポール杭等の他の杭でもよいことは勿論である。
また、実施例では固定カプラー１２に第１高圧ノズル２４、第２高圧ノズル２８を設けた例を示したが、高圧ノズルの数は２個に限定されないことは勿論である。
【産業上の利用可能性】
【００１２】
本考案の高圧ホース連結・連結解除装置は杭の打設作業以外の作業にも使用することができる。
【符号の説明】
【００１３】
１０    高圧ホース連結・連結解除装置
１２    固定カプラー
１４    移動カプラー
１６    固定カプラーパイプ体
１８    連結爪係止部
１８Ａ  傾斜面
１８Ｂ  係止面
２０    分岐パイプ
２２    第１分岐パイプ体
２４    第１高圧ノズル
２６    第２分岐パイプ体
２８    第２高圧ノズル
３０    固定カプラー取付プレート
３２    固定ボルト
３４    高圧ホース連結部
３６    中間部
３８    挿入部
４０    第１連結爪枢支ピン
４２    第２連結爪枢支ピン
４４    第１連結爪
４６    第２連結爪
４４Ａ  第１ピストン当接部
４４Ｂ  第１爪部
４６Ａ  第２ピストン当接部
４６Ｂ  第２爪部
４８    連結爪付勢バネ
４８Ａ  一端部
４８Ｂ  他端部
５０    第１ピストン収容部
５２    第２ピストン収容部
５４    第１ピストン
５６    第２ピストン
５８    ピストン抜止体
５８Ａ  貫通孔
６２    ピストン用パイプ
６４    油圧ホース
【図１】
0003164275.tif 000003
【図２】
0003164275.tif 000004
【図３】
0003164275.tif 000005